(57)【要約】      （修正有）【課題】無線通信ネットワークにおいて複数のホップによるスケジューリングを容易にする方法を提供する。【解決手段】ラジオ・リソースは、静的および／または動的に割りあてるサブ・フレームのセットに分割する。静的に割り当てられたラジオ・リソースは、各ホップにの負荷、スループットの不均衡に基づいて、再割当されうる。各ホップに対するサブ・フレームの動的な割当は、トラフィック条件またはチャネル条件に基く。さらに、ラジオ・リソースは、基地局がリソースのスケジューリングを制御する分散スキーム、又は中継局がリソースのスケジューリングを制御する集中スキームで、動的に割り当てられうる。ラジオ・リソースの割当は、透過的または明示的でありうる。透過的である場合、アクセス端末は、基地局をダイレクトに傍受し、中継局は、制御情報を送信しない。リソースの割当が明示的である場合、中継局は、制御情報を送信する。【選択図】図４
2014090478.tif 000002
【特許請求の範囲】
【請求項１】
無線通信ネットワークにおいて複数のホップによってスケジュールする方法であって、
１または複数のノードによる使用のために、ラジオ・リソースのセットを提供することと、
ダウンリンク通信およびアップリンク通信における使用のために、前記ラジオ・リソースをペア方式で割り当てることと
を備える方法。
【請求項２】
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む請求項１に記載の方法。
【請求項３】
前記リソースを割り当てるために、分散型のスケジューリング・スキームを適用することを更に備え、
基地局は、中継局に関連付けられたアクセス端末のセットをスケジュールするために前記中継局が使用するリソースを決定し、前記中継局は、前記リソースを用いて前記アクセス端末を自主的にスケジュールする請求項１に記載の方法。
【請求項４】
前記リソースを割り当てるために、集中型のスケジューリング・スキームを適用することをさらに備え、
基地局は、中継局に関連付けられたアクセス端末のセットのためのリソースのスケジュールを決定する請求項１に記載の方法。
【請求項５】
おのおののホップにリソースを静的に割り当てることをさらに備え、
隣接するホップに直交リソースが割り当てられる請求項１に記載の方法。
【請求項６】
おのおののホップにおける負荷、または、スループットの不均衡のうちの少なくとも１つに基づいて、前記リソースを時間にわたって再割当することをさらに備える請求項５に記載の方法。
【請求項７】
制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換えることをさらに備える請求項４に記載の方法。
【請求項８】
前記静的な割当の周波数変更、または、より柔軟性の高い割当が望まれているか、のうちの少なくとも１つに少なくとも部分的に基づいて前記静的な割当を切り換えることをさらに備える請求項５に記載の方法。
【請求項９】
トラフィック条件またはチャネル条件のうちの少なくとも１つに少なくとも部分的に基づいて、おのおののホップへリソースを動的に割り当てることをさらに備える請求項１に記載の方法。
【請求項１０】
サービス提供している基地局からのフレームを、中継局において前記フレームを使用する前に要求することをさらに備え、
スケジュールすることは、前記中継局において動的である請求項９に記載の方法。
【請求項１１】
前記要求をアクノレッジメントに含めることをさらに備え、
前記アクノレッジメントは、前記基地局から取得されたパケットに応じて、中継局によって下流側のアクセス端末へ向けて送られる請求項１０に記載の方法。
【請求項１２】
前記要求は、必要なフレーム数またはレイテンシ期間のうちの少なくとも１つを含む請求項１１に記載の方法。
【請求項１３】
前記中継局は、前記要求のアクノレッジメントが取得されるまで、前記リソースを使うことができない請求項１２に記載の方法。
【請求項１４】
無線通信ネットワークにおいて複数のホップによってスケジュールするように構成された少なくとも１つのプロセッサであって、
１または複数のノードによる使用のために、ラジオ・リソースのセットを提供する第１のモジュールと、
ダウンリンク通信およびアップリンク通信における使用のために、前記ラジオ・リソースをペア方式で割り当てる第２のモジュールとを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含むプロセッサ。
【請求項１５】
コンピュータ読取可能媒体を備えるコンピュータ・プログラム製品であって、
前記コンピュータ読取可能媒体は、
コンピュータに対して、１または複数のノードによる使用のために、ラジオ・リソースのセットを提供させるための第１のコード・セットと、
ダウンリンク通信およびアップリンク通信における使用のために、前記ラジオ・リソースをペア方式で割り当てるための第２のコード・セットとを備え
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含むコンピュータ・プログラム製品。
【請求項１６】
装置であって、
１または複数のノードによる使用のために、ラジオ・リソースのセットを提供する手段と、
ダウンリンク通信およびアップリンク通信における使用のために、前記ラジオ・リソースをペア方式で割り当てる手段とを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む装置。
【請求項１７】
前記ラジオ・リソースのスケジュールを分散させる手段をさらに備え、
基地局は、中継局に関連付けられたアクセス端末のセットをスケジュールするために前記中継局が使用するリソースを決定し、前記中継局は、前記リソースを用いて前記アクセス端末を自主的にスケジュールする請求項１６に記載の装置。
【請求項１８】
前記ラジオ・リソースのスケジュールを集中させる手段をさらに備え、
基地局は、中継局に関連付けられたアクセス端末のセットのためのリソースのスケジュールを決定する請求項１６に記載の装置。
【請求項１９】
おのおののホップにリソースを静的に割り当てる手段をさらに備え、
隣接するホップに直交リソースが割り当てられる請求項１６に記載の装置。
【請求項２０】
おのおののホップにおける負荷、または、スループットの不均衡のうちの少なくとも１つに基づいて、前記リソースを時間にわたって再割当する手段をさらに備える請求項１６に記載の装置。
【請求項２１】
制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換える手段をさらに備える請求項１６に記載の装置。
【請求項２２】
前記静的な割当の周波数変更、または、より柔軟性の高い割当が望まれているか、のうちの少なくとも１つに少なくとも部分的に基づいて前記静的な割当を切り換える手段をさらに備える請求項１６に記載の装置。
【請求項２３】
トラフィック条件またはチャネル条件のうちの少なくとも１つに少なくとも部分的に基づいて、おのおののホップへフレームを動的に割り当てる手段をさらに備える請求項１６に記載の装置。
【請求項２４】
サービス提供している基地局からのサブ・フレームを、中継局において前記フレームを使用する前に要求することをさらに備え、
スケジュールすることは、前記中継局において動的である請求項２３に記載の装置。
【請求項２５】
前記要求をアクノレッジメントに含める手段をさらに備え、
前記アクノレッジメントは、前記基地局から取得されたパケットに応じて、中継局によって下流側のアクセス端末へ向けて送られる請求項２４に記載の装置。
【請求項２６】
必要なサブ・フレーム数またはレイテンシ期間のうちの少なくとも１つを前記要求に含める手段をさらに備える請求項２４に記載の装置。
【請求項２７】
前記中継局は、前記要求のアクノレッジメントが取得されるまで、前記リソースを使うことができない請求項２４に記載の装置。
【請求項２８】
装置であって、
１または複数のノードによる使用のために、ラジオ・リソースのセットを提供するラジオ構成要素と、
ダウンリンク通信およびアップリンク通信における使用のために、前記ラジオ・リソースをペア方式で割り当てるスケジューリング構成要素とを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む装置。
【請求項２９】
前記スケジューリング構成要素は、前記ラジオ・リソースを割り当てるために、分散型のスケジューリング・スキームを適用し、
基地局は、中継局に関連付けられたアクセス端末のセットをスケジュールするために前記中継局が使用するリソースを決定し、
前記中継局は、前記リソースを用いて前記アクセス端末を自主的にスケジュールする請求項２８に記載の装置。
【請求項３０】
前記スケジューリング構成要素は、前記ラジオ・リソースを割り当てるために、集中型のスケジューリング・スキームを適用し、基地局は、中継局に関連付けられたアクセス端末のセットのためのリソースのスケジュールを決定する請求項２８に記載の装置。
【請求項３１】
前記スケジューリング構成要素は、おのおののホップにリソースを静的に割り当て、隣接するホップに直交リソースが割り当てられる請求項２８に記載の装置。
【請求項３２】
前記スケジューリング構成要素は、おのおののホップにおける負荷、または、スループットの不均衡のうちの少なくとも１つに基づいて、前記リソースを時間にわたって再割当する請求項２８に記載の装置。
【請求項３３】
前記スケジューリング構成要素は、制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換える請求項３２に記載の装置。
【請求項３４】
前記スケジューリング構成要素は、前記静的な割当の周波数変更、または、より柔軟性の高い割当が望まれているか、のうちの少なくとも１つに少なくとも部分的に基づいて前記静的な割当を切り換える請求項３３に記載の装置。
【請求項３５】
前記スケジューリング構成要素は、トラフィック条件またはチャネル条件のうちの少なくとも１つに少なくとも部分的に基づいて、おのおののホップへリソースを動的に割り当てる請求項２８に記載の装置。
【請求項３６】
前記スケジューリング構成要素は、サブ・フレームを求める要求を中継局から受信し、スケジュールすることは、前記中継局において動的である請求項３５に記載の装置。
【請求項３７】
前記要求は、アクノレッジメントを含み、前記アクノレッジメントは、取得されたパケットに応じて、中継局によって下流側のアクセス端末へ向けて送られる請求項３６に記載の装置。
【請求項３８】
前記要求は、サブ・フレーム数またはレイテンシ期間のうちの少なくとも１つを含む請求項３６に記載の装置。
【請求項３９】
前記中継局は、前記要求のアクノレッジメントが取得されるまで、前記リソースを使うことができない請求項３６に記載の装置。
【請求項４０】
前記スケジューリング構成要素は、前記アクセス端末が前記基地局を直接的に傍受し、中継局が制御情報を送信しない透過的なスケジューリング、または、前記中継局が制御情報を送信する明示的なスケジューリングのうちの少なくとも１つを適用する請求項２８に記載の装置。
【請求項４１】
前記装置の１または複数の態様を自動化することを容易にする人工知能構成要素をさらに備える請求項２８に記載の装置。
【発明の詳細な説明】
【優先権主張】
【０００１】
本願は、２００８年２月１３日に出願され、譲受人に譲渡された“ＳＹＳＴＥＭ  ＡＮＤ  ＭＥＴＨＯＤ  ＦＯＲ  ＳＣＨＥＤＵＬＩＮＧ  ＯＶＥＲ  ＭＵＬＴＩＰＬＥ  ＨＯＰＳ」と題され、参照によって本明細書に組み込まれた米国仮出願６１／０２８，４８９号の優先権を主張する。
【技術分野】
【０００２】
本開示は、一般に、無線通信に関し、さらに詳しくは、限定される訳ではないが、無線通信ネットワークにおける複数のホップによるスケジューリングのためのさまざまな技術に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
現在、アド・ホック無線ネットワークは、音声、データ、オーディオ、ビデオ、メッセージ、およびマルチメディア（例えば、コンテンツ）のための長距離無線通信を提供するように開発されている。アド・ホック無線ネットワークは、他の無線ノードにバックホール・サービスを提供するためにともに結合する多くの無線ノードによって形成される。アド・ホック無線ネットワークでは、コンテンツは、目的地に到着するまで、１つの無線ノードから別の無線ノードへとルーティングされる。目的地までは、１または複数の中間ノードを介して、連続的な接続が提供される。これは、アド・ホック・ネットワーク内の１または複数のノードが利用不能になった場合に接続を維持するように、動的に再構成される。
【０００６】
アド・ホック無線ネットワークは、既存のインフラストラクチャによって現在提示されている無線有効通信範囲を拡大するユニークな機会を提供する。一例として、アド・ホック無線ネットワークは、セルラ・ネットワークまたはＷＬＡＮの地理的範囲を拡大するために使用されうる。アド・ホック無線ネットワークはまた、ブロードバンド・アクセスのために、ケーブルおよびデジタル加入者ライン（ＤＳＬ）に対する魅力的な代替をも提供する。アド・ホック無線ネットワークの最近の出現、および無線通信を向上するための大きな可能性によって、これらネットワークによるコンテンツの送信をサポートするより効率的な方式が必要とされる。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、さまざまな態様が、無線通信ネットワークにおける複数のホップによるスケジューリングを容易にすることに関連して記載される。関連する態様によれば、無線ネットワークにおける複数のホップによるスケジューリングのための方法が提供される。この方法は、１または複数のノードによる使用のために、ラジオ・リソースのセットを提供することを含んでいる。この方法はさらに、ダウンリンク通信およびアップリンク通信における使用のために、ラジオ・リソースをペア方式で割り当てることを含む。
【０００９】
別の態様は、無線通信装置に関する。この無線通信装置は、無線通信ネットワークにおける複数のホップによるスケジュールのために構成された少なくとも１つのプロセッサを含みうる。この少なくとも１つのプロセッサは、１または複数のノードによる使用のために、ラジオ・リソースのセットを提供する第１のモジュールを含んでいる。この少なくとも１つのプロセッサはさらに、ダウンリンク通信およびアップリンク通信における使用のために、ラジオ・リソースをペア方式で割り当てる第２のモジュールを含む。
【００１０】
ここで、ペア方式でリソースを割り当てることはさらに、ホップに割り当てられたダウンリンク・サブ・フレームのおのおののセットのために、対応するアップリンク制御サブ・フレームを割り当てることと、ホップに割り当てられた逆方向リンク・サブ・フレームのおのおののセットのために、対応するダウンリンク制御サブ・フレームを割り当てることとを含む。
【００１１】
さらに別の態様は、１または複数のノードによる使用のために、ラジオ・リソースのセットを提供する手段を含む装置に関する。この装置はさらに、ダウンリンク通信およびアップリンク通信における使用のために、ラジオ・リソースをペア方式で割り当てる手段を含む。ここで、ペア方式でリソースを割り当てることはさらに、ホップに割り当てられたダウンリンク・サブ・フレームのおのおののセットのために、対応するアップリンク制御サブ・フレームを割り当てることと、ホップに割り当てられた逆方向リンク・サブ・フレームのおのおののセットのために、対応するダウンリンク制御サブ・フレームを割り当てることとを含む。
【００１２】
別の態様は、コンピュータ・プログラム製品に関する。このコンピュータ・プログラム製品は、コンピュータに対して、１または複数のノードによる使用のために、ラジオ・リソースのセットを提供させるための第１のコード・セットを含んでいる。このコンピュータ読取可能媒体はさらに、ダウンリンク通信およびアップリンク通信における使用のために、ラジオ・リソースをペア方式で割り当てるための第２のコード・セットを備えうる。ここで、ペア方式でリソースを割り当てることはさらに、ホップに割り当てられたダウンリンク・サブ・フレームのおのおののセットのために、対応するアップリンク制御サブ・フレームを割り当てることと、ホップに割り当てられた逆方向リンク・サブ・フレームのおのおののセットのために、対応するダウンリンク制御サブ・フレームを割り当てることとを含む。
【００１３】
さらに、追加の態様は装置に関する。この装置は、１または複数のノードによる使用のために、ラジオ・リソースのセットを提供するラジオ構成要素を含みうる。この装置はさらに、ダウンリンク通信およびアップリンク通信による使用のために、ラジオ・リソースをペア方式で割り当てるスケジューリング構成要素を含みうる。ここで、ペア方式でリソースを割り当てることはさらに、ホップに割り当てられたダウンリンク・サブ・フレームのおのおののセットのために、対応するアップリンク制御サブ・フレームを割り当てることと、ホップに割り当てられた逆方向リンク・サブ・フレームのおのおののセットのために、対応するダウンリンク制御サブ・フレームを割り当てることとを含む。
【００１４】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１５】
【図１】図１は、本明細書の態様にしたがう多元接続無線通信システムを例示する。
【図２】図２は、本明細書の態様にしたがう通信システムのブロック図を例示する。
【図３】図３は、本明細書の態様にしたがう無線通信システムを例示する。
【図４】図４は、本明細書の態様にしたがう無線通信ネットワークの概念図を例示する。
【図５】図５は、本明細書の態様にしたがう単一のホップによる通信ネットワークにおける送信タイムスロットおよび受信タイムスロットに関連付けられたコンテンツ・フローの概念図を例示する。
【図６】図６は、本明細書の態様にしたがう複数のホップによる通信ネットワークにおける送信タイムスロットおよび受信タイムスロットに関連付けられたコンテンツ・フローの概念図を例示する。
【図７】図７は、本明細書の態様にしたがって示される複数のホップによる無線通信ネットワークを例示する一般的な構成要素ブロック図を例示する。
【図８】図８は、本明細書の態様にしたがう無線通信ネットワークにおける複数のホップによる静的なラジオ・リソース割当のための方法を例示する。
【図９】図９は、本明細書の態様にしたがう無線通信ネットワークにおける複数のホップによるラジオ・リソースの動的な割当のための方法を例示する。
【図１０】図１０は、本明細書の態様にしたがう無線通信ネットワークにおいて複数のホップによって静的に割り当てられたラジオ・リソースを例示するダウンリンク・タイムラインを例示する。
【図１１】図１１は、本明細書の態様にしたがう無線通信ネットワークにおいて複数のホップによって静的に割り当てられたラジオ・リソースを例示するアップリンク・タイムラインを例示する。
【図１２】図１２は、本明細書の態様にしたがう無線通信ネットワークにおいて複数のホップによって動的に集中されたラジオ・リソースの割当を例示するダウンリンク・タイムラインを例示する。
【図１３】図１３は、本明細書の態様にしたがう無線通信ネットワークにおいて複数のホップによって動的に分散されたラジオ・リソースの割当を例示するダウンリンク・タイムラインを例示する。
【図１４】図１４は、本明細書の態様にしたがう無線通信ネットワークにおいて複数のホップによって動的に割り当てられたラジオ・リソースを例示する２つのアップリンク・タイムラインの比較を例示する。
【図１５】図１５は、本明細書の態様にしたがって１または複数の機能を自動化することを容易にする人工知能（ＡＩ）構成要素を適用するシステムを例示する。
【図１６】図１６は、本明細書の態様にしたがう無線通信ネットワークにおいて複数のホップによるスケジューリングを容易にするシステムの実例である。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１８】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２１】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２２】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２３】
基地局１０２は、モバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２４】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８、１２４による通信では、基地局１０２の送信アンテナは、モバイル・デバイス１１６、１２２の順方向リンク１１８、１２４の信号対雑音比を向上するために、ビーム・フォーミングを利用しうる。例えば、これは、所望の方向に信号を発信するために、プリコーダを用いることによって提供されうる。また、基地局１０２が、関連付けられた有効通信範囲にランダムに散在したモバイル・デバイス１１６、１２２に送信するためにビーム・フォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、一例として、ピア・ツー・ビアまたはアド・ホック技術を使用して、互いにダイレクトに通信しうる。
【００２５】
例によれば、システム１００は、複数入力複数出力（ＭＩＭＯ）通信システムでありうる。さらに、システム１００は、（例えば、順方向リンクや逆方向リンク等のような）通信チャネルを分割するために、例えばＦＤＤやＴＤＤ等のような実質的に任意のタイプのデュプレクス技術を利用しうる。さらに、システム１００は、マルチ・ベアラ・システムでありうる。ベアラは、定義された容量、遅延、ビット誤り率等の情報パスでありうる。モバイル・デバイス１１６、１２２はおのおの、１または複数のラジオ・ベアラにサービス提供しうる。モバイル・デバイス１１６、１２２は、アップリンク・リソースを管理するため、および／または、アップリンク・リソースを１または複数のラジオ・ベアラで共有するために、アップリンク・レート制御メカニズムを適用しうる。一例において、モバイル・デバイス１１６、１２２は、ラジオ・ベアラにサービス提供するため、および、アップリンク・レート制限を実施するために、トークン・バケット・メカニズムを利用しうる。
【００２６】
例示によれば、おのおののベアラは、関連付けられた優先ビット・レート（ＰＢＲ）、最大ビット・レート（ＭＢＲ）、および保証ビット・レート（ＧＢＲ）を有しうる。モバイル・デバイス１１６、１２２は、関連付けられたビット・レート値に少なくとも部分的に基づいて、ラジオ・ベアラにサービス提供しうる。ビット・レート値はまた、おのおののベアラに関するＰＢＲおよびＭＢＲを考慮したキュー・サイズを計算するためにも適用されうる。キュー・サイズは、モバイル・デバイス１１６、１２２によって基地局１０２へ送信されたアップリンク・リソース要求に含まれうる。基地局１０２は、それぞれのアップリンク要求および含まれているキュー・サイズに基づいて、モバイル・デバイス１１６、１２２のためのアップリンク・リソースをスケジュールしうる。
【００２７】
図２は、ＭＩＭＯシステム２００における（アクセス・ポイントとしても知られている）送信機システム２１０および（アクセス端末として知られている）受信機システム２５０のブロック図である。送信機システム２１０では、多くのデータ・ストリームのトラフィック・データが、データ・ソース２１２から送信機（ＴＸ）データ・プロセッサ２１４に提供される。
【００２８】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符合化スキームに基づいて符号化し、インタリーブして、符合化されたデータを提供する。
【００２９】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３０】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、データ・シンボルが送信されるアンテナに、ビーム・フォーミング重みを適用する。
【００３１】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機２２２ａ乃至２２２ｔからのＮＴ個の変調信号は、ＮＴ個のアンテナ２２４ａ乃至２２４ｔそれぞれから送信される。
【００３２】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３３】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３４】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３５】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３６】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、ビーム・フォーミング重みを決定するために、どの事前符号化行列を使用するかを決定し、その後、抽出されたメッセージを処理しうる。
【００３７】
図３は、多くのユーザをサポートするように構成された無線通信システム３００を例示する。ここでは、開示されたさまざまな実施形態および態様が実現される。図３に示されるように、一例として、システム３００は、例えばマクロ・セル３０２ａ−３０２ｇのような複数のセル３０２に通信を提供する。ここでは、おのおののセルは、（例えばＡＰ３０４ａ−３０４ｇのような）対応するアクセス・ポイント（ＡＰ）３０４によってサービス提供される。おのおののセルはさらに、（例えば、１または複数の周波数をサービス提供するために、）１または複数のセクタへ分割されうる。ユーザ機器（ＵＥ）あるいは移動局としても置換可能に知られており、ＡＴ３０６ａ−３０６ｋを含むさまざまなアクセス端末（ＡＴ）３０６が、システム全体にわたって分布している。ＡＴ３０６はおのおのの、例えば、ＡＴがアクティブであるか、および、ソフト・ハンドオフにあるかに依存して、所与の瞬間において、順方向リンク（ＦＬ）および／または逆方向リンク（ＲＬ）によって、１または複数のＡＰ３０４と通信することができる。無線通信システム３００は、広い地理的領域にわたってサービスを提供することができ、例えば、マクロ・セル３０２ａ−３０２ｇは、近隣の少数のブロックをカバーすることができる。
【００３８】
本発明の実施形態によれば、システム３００は、例えばＲＳ３０８ａのような１または複数の中継局（ＲＳ）を含みうる。動作中、ＲＳは、ＡＰ３０４およびＡＴ３０６の両方との接続を有しうる。例えば、ＲＳ３０８ａはＡＰ３０４ｆとＡＴ３０６ｚとの間にあるか、あるいは、ＡＰ３０４ｆとＡＴ３０６ｚとを通信可能に接続することができる。ＲＳ３０８ａは、ＡＰ３０４ｆから受信した信号を解釈、判読、あるいは復号し、この信号をＡＴ３０６ｚへ送信する転送および復号リレーでありうる。説明を単純かつ簡潔にするために、システム３００は単一のＲＳ３０８ａを有するものと示されているが、システム３００は、任意の数のＲＳを含みうることが認識されるべきである。さらに、あるいは、その代わりに、ＡＴ３０６のうちの１または複数が、ＲＳとして機能しうる。
【００３９】
ＲＳ３０８ａの機能は、ＡＰ３０４とＡＴ３０６の機能を合わせたもの、または組み合わせたものとなりうる。例えば、ＲＳ３０８ａは、（例えば、ＡＴ３０６のような）下流・ノードに通信する場合、ＡＰ３０４と同様に機能しうる。すなわち、ＲＳ３０８ａは、ダウンリンク（ＤＬ）で送信し、アップリンク（ＵＬ）で受信する。さらに、ＲＳ３０８ａは、（例えば、ＡＰ３０４のような）上流側のノードに通信する場合、ＡＴ３０６と同様に機能しうる。すなわち、ＲＳ３０８ａは、ＵＬで送信し、ＤＬで受信する。ＡＰ３０４は、ＲＳがおのおののスロットで指示される方式を制御しうる。例えば、ＡＰ３０４は、ＲＳ３０８がＢＳ（例えば、下流側）またはＡＴ（例えば、上流側）として指示されているときを判定し、マルチ・ホップによる通信を容易にするために、ネットワーク・リソースをスケジュールしうる。さらに、ＡＰ３０４は、複数のＲＳ３０８のうち、おのおののＵＴ３０６が接続しうるものを判定し、各ＲＳ３０８の独立制御を維持しうる。
【００４０】
アクセス端末とアクセス・ポイント（例えば、基地局）との両方を結合した機能を有するデバイスは、比較的高価になりえる。コストを抑えることができる１つの方法は例えば、デバイスが、ＡＰ３０４の傍受と、ＡＴ３０６への送信とを同時に行うことができないようにすることである。あるいは、効率的な動作のために、複数のホップによるネットワーク・リソースの使用の同期化、調整、あるいはスケジューリング（後述する）が適用されうる。例えば、静的な分割構成では、ＡＰ３０４は、異なる時間（例えば、スロット）において、さまざまなネットワーク・リソースに対してどのノードがアクセスを有しているのかを判定しうる。さらに、あるいは、その代わりに、ネットワーク・リソースが、必要性に少なくとも部分的に基づいて、動的に分割されうる。例えば、ＲＳ３０８が、１または複数のＡＴ３０６へ転送するべきデータを復号していなければ、ＲＳ３０８は、任意のＦＬスロットを傍受（例えば、データの受信）しうる（例えば、ＡＰ３０４を傍受する）。
【００４１】
下流側ホップがどのようにして管理されるのかを決定するために、主要な３つの考察がある。ここでは、下流側ホップは、ＡＰ３０４を含まない任意のホップである。第１は、リソースの割当が、静的か動的かということである。上述したように、静的な割当は、ホップ間でのＤＬおよびＵＬにおけるリソースの時間における固定された分割である一方、動的な割当は、おのおののホップについて、ＤＬおよびＵＬにおいて、必要とされるように、時間におけるリソースを割り当てることを含む。第２は、リソースの割当が、集中されるか分散されるかである。下流側ホップのための送信および／または受信がＡＰ３０４によってスケジュールされる場合、割当は、集中される。下流側ホップのための送信および／または受信が親のＲＳ３０８によってスケジュールされる場合、割当は、分散される。第３は、割当が、透過的か明示的かということである。透過的な場合では、ＵＥは、ＡＰ３０４を直接的に傍受し、ＲＳ３０８は、例えばＤＬ割当またはＵＬ割当のような制御情報を送信しない。反対に、リソース割当が明示的な場合、ＲＳ３０８は、制御情報を送信する。例えば、リソース割当が明示的な場合、ＬＴＥシステムでは、ＲＳ３０８は、パケット・データ制御チャネル（ＰＤＣＣＨ）で割当を送信しうる。これは単なる１つの例であり、本技術の範囲および精神内で複数の例が可能であることが認識されるべきである。
【００４２】
図４は、本技術の態様にしたがう無線通信ネットワークの概念図を例示する。この無線ネットワーク４００は、一般に無線ノード４０２−４０６およびアクセス端末４０８−４１４として示されている幾つかの無線ノードと通信していることが示される。無線ノードは、前述したもの、またはそれらの任意の組み合わせを、受信あるいは送信することができる。説明を単純にするために、受信している無線ノードを称するために「受信ノード」という用語が使用され、送信している無線ノードを称するために「送信ノード」という用語が使用される。これらの名称は、無線ノードが送信機能と受信機能との両方を実行することができないことを示しているのではない。
【００４３】
無線ノードは、アクセス・ポイント、中継ポイント（例えば、中継局）、アクセス端末、あるいはこれらの組み合わせとして機能することができる。例えば、多くのアクセス端末４０８−４１４へバックホール・サービスを提供するために、無線ノード４０２−４０６のクラスタがともに機能する。このクラスタは、（例えば、セルラ・ネットワークのようなＷＷＡＮ、ＷＬＡＮ、ＩＳＰ、インターネット等のような）ネットワーク４００へバックホール接続を提供することによって、アクセス・ポイントとして機能する無線ノード４０２を含む。さらに、無線ノード４０２は、図４の例に示されていない他のアクセス・ポイントのための中継ポイントとして機能するか、あるいは、無線ネットワーク４００の動的な再構成に応じて、中継機能を提供しうる。このクラスタはさらに、アクセス端末４１０−４１４をアクセス・ポイント４０２へ接続するための中継ポイントとして機能する２つの無線ノード４０４、４０６を含む。図示していないが、無線ノード４０４、４０６もまた、他のアクセス・ポイントや中継ポイントへの接続を提供しうる。同一の無線ノード４０４、４０６が、ネットワーク４００内の無線ノードの他のクラスタのためのアクセス・ポイントとして機能することができる。
【００４４】
４つのアクセス端末４０８−４１４が図４に示されている。この例では、２つのアクセス端末４１０、４１２が中継ポイント４０４を介してアクセス・ポイント４０２へ接続されており、１つのアクセス端末４１４が中継ポイント４０６を介してアクセス・ポイント４０２へ接続されており、残りのアクセス端末４１８が、アクセス・ポイント４０２へダイレクトに接続されている。アクセス端末４０８−４１４は、例として、モバイル電話あるいはセルラ電話、携帯情報端末（ＰＤＡ）、ラップトップ・コンピュータ、デジタル・オーディオ・デバイス（例えば、ＭＰ３プレーヤ）、ゲーム機、デジタル・カメラ、あるいはその他の音声、データ、オーディオ、ビデオ、メッセージ、またはマルチメディア・デバイスを含み、無線ノード４０２とのラジオ通信をサポートすることが可能な任意のモバイル・ユーザ・デバイスでありうる。いくつかのアプリケーションでは、アクセス端末４０８−４１４は、さらに、ネットワーク４００内の他の無線ノードのためのアクセス・ポイントおよび／または中継ポイントとして機能しうる。
【００４５】
無線ネットワーク４００をサポートするために使用または採用されているエア・インタフェース仕様は、モバイル加入者が、利用可能なラジオ・リソースを共有できるようにする任意の適切な多元接続技術に基づきうる。そのような多元接続技術の例は、時分割多元接続（ＴＤＭＡ）、周波数分割多元接続（ＦＤＭＡ）、ＣＤＭＡ、広帯域ＣＤＭＡ（Ｗ−ＣＤＭＡ）、直交周波数分割多元接続（ＯＦＤＭＡ）、あるいはこれらのいくつかの組み合わせを含む。
【００４６】
ネットワーク４００内の各無線ノードは、複数のダウンリンク接続を有することができる。本構成では、複数のダウンリンク接続を有する無線ノードのおのおのは、下流側の無線ノード間のラジオ・リソース（例えば、周波数帯域、拡散符号等）の共有化を調整する必要がある。一例として、アクセス・ポイント４０２は、利用可能なラジオ・リソースを、アクセス端末４０８と２つの中継ポイント４０４、４０６に割り当て、中継ポイント４０４は、利用可能なラジオ・リソースを、２つのアクセス端末４１０、４１２に割り当てる。この例では、アクセス・ポイント４０２および中継ポイント４０４は、ラジオ・リソースを割り当てるために、スケジューリング・アルゴリズムを適用することができる。スケジューリング・アルゴリズムは、先着順処理（first-come first-serve process）と同様に単純である。あるいは、好ましいチャネル状態を活用するために、チャネルに依存したアルゴリズムを使用することもできる。公平さに基づいて、より単純なベスト・エフォート型のスケジューリング・アルゴリズムが使用される。これによって、各ダウンリンク接続のための無線ノードには、等しい帯域幅が与えられる。あるいは、ダウンリンク接続を備えた極めて多くの無線ノードが存在する場合、無線ノード間で帯域幅が公平にサイクルされるラウンド・ロビン処理が使用される。当業者であれば、無線ネットワークの任意の特定のアプリケーションのためのスケジューリング・アルゴリズムを決定することは容易であろう。
【００４７】
図５は、本技術の態様にしたがって、単一のホップによる通信でタイムスロットを送信および受信することに関連付けられたコンテンツ・フローの概念図を例示する。例えば、図５に示すように、コンテンツは、無線ノードＡ５０２から無線ノードＢ５０４に送信される。無線ノードＡ５０２および無線ノードＢ５０４は、あるタイムスロット内で送信および受信することを許可されている。例えば、無線ノードＡ５０２は、タイムスロット１  ５０６および／またはタイムスロット３  ５０８（例えば、奇数のタイムスロット、奇数のフレーム、あるいは奇数のインタレース）中に送信し、無線ノードＢは、タイムスロット２  ５１０および／またはタイムスロット４  ５１２（例えば、偶数のタイムスロット、偶数のフレーム、あるいは偶数のインタレース）中に送信することができる。反対に、無線ノードＡは、偶数のタイムスロット／フレーム中に受信し、無線ノードＢは、奇数のタイムスロット／フレーム中に受信することができる。
【００４８】
いくつかの実施例では、おのおののタイムスロット内で、複数のチャネルが確立される。例えば、ＴＤＭＡ／ＦＤＭＡハイブリッド・スキームでは、複数の無線ノードとの同時通信をサポートするために、各タイムスロット内で、いくつかの周波数帯域が使用される。別の例において、ＴＤＭＡ／ＣＤＭＡハイブリッド・スキームでは、いくつかの拡散符号が使用される。これによって、異なる符合を用いて拡散された各通信のコンテンツの、単一のタイムスロット中における同時通信が可能となる。これは単なる一例であり、当業者であれば、任意の特定のアプリケーションに適切なさまざまな多元接続技術を用いて、どのようにすればラジオ・リソースを最良に分割できるかを容易に理解するであろうことが認識されるべきである。
【００４９】
図６は、本発明の態様にしたがって、複数のホップによる通信における送信タイムスロットおよび受信タイムスロットに関連付けられたコンテンツ・フローの概念図を例示する。例として、コンテンツは、無線ノードＡ６０２から無線ノードＢ６０４へ送信され、その後、無線ノードＣ６０６へ送信される。前述したように、単一のホップによる通信に関し、無線ノード６０２−６０６は、あるタイムスロット６０８−６１４中に送信および受信することが許可される。例えば、無線ノードＡ６０２、Ｃ６０６は、タイムスロット１  ６０８またはタイムスロット３  ６１２（例えば、奇数のタイムスロット、奇数のフレーム、あるいは奇数のインタレース）中に送信し、無線ノードＢ６０４は、タイムスロット２  ６１０および／またはタイムスロット４  ６１４（例えば、偶数のタイムスロット、偶数のフレーム、あるいは偶数のインタレース）中に送信することができる。反対に、無線ノードＡ６０２、Ｃ６０６は、偶数のタイムスロット／フレーム中に受信し、無線ノードＢ６０４は、奇数のタイムスロット／フレーム中に受信することができる。
【００５０】
図７に移って、マルチ・ホップによる無線通信ネットワークを例示する一般的な構成要素のブロック図が、本発明の態様にしたがって示される。説明を単純および容易にするために、以下の記載は、本質的に説明を与えるものであり、おのおののブロックの機能を広く定義している。本開示の全体にわたって記述されたさまざまな概念に対する適切な機能のみが記載される。当業者であれば、これらの機能ブロックは本明細書に記載されていない他の機能を提供するか、および／または、他の構成要素（例えば、機能ブロック）と組み合わされうることを認識するであろうことが理解されるべきである。
【００５１】
この例では、システム７００は、基地局７０２、中継局７０４、およびアクセス端末７０６を含んでいる。基地局７０２は、１または複数のノードによって使用されるべきラジオ・リソースのセットを（例えば、ラジオ構成要素７１０を経由して）提供しうる。例えば、ノードは、例えばモバイル電話あるいはセルラ電話、携帯情報端末（ＰＤＡ）、ラップトップ・コンピュータ、デジタル・オーディオ・デバイス（例えば、ＭＰ３プレーヤ）、ゲーム機、デジタル・カメラ、あるいはその他の音声、データ、オーディオ、ビデオ、メッセージあるいはマルチメディア・デバイスのようなアクセス端末７０６や、あるいは、中継局７０４を含みうる。さらに、アクセス端末７０６は、中継局７０４としても機能しうる。
【００５２】
基地局７０２は、複数のホップによるダウンリンク通信およびアップリンク通信における使用のために、ラジオ・リソースをペア方式で割り当てるスケジューリング構成要素７０８を含む。例えば、ＬＴＥシステムでは、ダウンリンク・データがサブ・フレームｋで送信されると、アクノレッジメントが、サブ・フレームｋ＋４でスケジュールされうる。ここで、ｋは整数である。同様に、アップリンク割当がサブ・フレームｋで送信されると、その割当のアップリンク・データが、サブ・フレームｋ＋４で送信され、アクノレッジメントが、サブ・フレームｋ＋８で送信されうる。そして、所望された場合／必要な場合、サブ・フレームｋ＋１２で再送信がなされうる。言い換えれば、スケジューリング構成要素は、中継局７０４のためのダウンリンク・リソースを、サブ・フレームｋでアクセス端末７０６ホップへ割り当て、同時に、アクセス端末７０６上のアップリンク・リソースを、ペアのサブ・フレーム（例えば、サブ・フレームｋ＋４）で中継局７０４ホップへ割り当てる。
【００５３】
スケジューリング構成要素７０８は、複数のスキームを用いて、ラジオ・リソースを割り当てうる。例えば、スケジューリング構成要素は、ラジオ・リソースの割当のために、分散型のスケジューリング・スキームを適用、実行、あるいは使用しうる。ここでは、スケジューリング構成要素７０８は、中継局７０４がアクセス端末７０６をスケジューリングするために使用することができるリソースを決定し、中継局７０４は、このリソースを用いて、アクセス端末７０６を自主的にスケジュールする。さらに、あるいは、その代わりに、スケジューリング構成要素７０８は、ラジオ・リソースの割当のために、集中型のスケジューリング・スキームを適用しうる。ここでは、スケジューリング構成要素７０８が、中継局７０４に関連付けられたアクセス端末７０６のためのリソースのスケジューリングを決定する。さらに、スケジューリング構成要素は、前述したように、ラジオ・リソースを静的または動的に割り当てうる。
【００５４】
図８は、本技術の態様にしたがって無線ネットワークにおける複数のホップによる静的なラジオ・リソース割当のための方法を例示する。説明を単純にする目的で、これら方法は、本技術にしたがって、一連のまたは多くの動作として示され説明されているが、本技術は、幾つかの動作が本明細書で示され記載されたものとは異なる順序で、および／または、他の動作と同時に生じうるので、これら動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、本技術にしたがう方法を実現するために、必ずしも例示された全ての動作が必要される訳ではない。
【００５５】
８０２では、ダウンリンク無線接続がイネーブルされ、第１のノードが、第２のノードと通信できるようになる。前述したように、第１のノードは、中継局（ＲＳ）となりうる。また、第２のノードは、アクセス端末（ＡＴ）となりうる。ＲＳは、基地局（ＢＳ）から受信したデータを復号し、ＡＴへ転送しうる。ここで、ＲＳは、ＡＴよりもＢＳに対して良好な接続を有する。例えば、ＲＳは、物理的にＢＳとＡＴとの間に位置しうる。
【００５６】
８０４では、ＢＳが、ＲＳに対して、データ（例えば、コンテンツ）のセットを送信する。このデータは、最終的には、１または複数のＡＴへ送られる。例えば、ＢＳは、前述したように、ＲＳによってサービス提供されている複数のＡＴへ送られるコンテンツを、ＲＳに対して送信しうる。８０６では、ＢＳは、データを転送するために、ＡＴによって使用されるべきラジオ・リソースのセットをＡＴへ割り当てうる。例えば、ＢＳは、ＢＳとＲＳとの通信のために、アップリンク（ＵＬ）および／またはダウンリンク（ＤＬ）におけるフレームを均一に割り当てうる。そして、ＢＳは、ＲＳとＡＴとの間の通信のために、奇数のフレームを割り当てうる。ＢＳは、ＵＬ送信とＤＬ送信のおのおのについて、対応する制御スロットも同様に割り当てる。例えば、ＢＳが、ＲＳからＡＴへの下流側への送信に対してＤＬスロットを割り当てる場合、ＢＳは、アクノレッジメント・メッセージ（ＡＣＫ）を受信するために、対応するＵＬスロットをＲＳへ割り当てるだろう。
【００５７】
８０８では、ＲＳがＢＳからのデータをＡＴへ転送しているか、あるいは別のＲＳへ転送しているかが判定される。８１０では、もしもＲＳがデータをＡＴへ転送しているのであれば、ＲＳは、ＢＳによって割り当てられたスロットで、データを転送する。しかしながら、８１２において、ＲＳがデータを１または複数の下流側のＲＳへ転送しており、かつ、下流側へのホップが分散管理されているのであれば、ＲＳは、ＢＳとして動作し、下流側のＲＳへデータを転送する。それに加えて、８１４では、ＲＳは、ＲＳに利用可能なリソースから、下流側のＲＳによって使用されるべきラジオ・リソースを割り当てる。例えば、ＲＳは、下流側のＲＳによる使用のために、ＢＳによって割り当てられたスロットを分割しうる。さらに、おのおののホップにおける負荷、および／または、スループットの不均衡に基づいて、その後、ラジオ・リソースの静的な割当が再びなされる。
【００５８】
図９は、本技術の態様にしたがって、無線ネットワークにおいて複数のホップによってラジオ・リソースを動的に割り当てる方法を例示する。９０２では、ダウンリンク無線接続がイネーブルされ、第１のノードは、第２のノードと通信できるようになる。前述したように、第１のノードは、中継局（ＲＳ）となりうる。また、第２のノードは、アクセス端末（ＡＴ）となりうる。ＲＳは、基地局（ＢＳ）から受信したデータを復号し、ＡＴへ転送しうる。ここで、ＲＳは、ＡＴよりもＢＳに対して良好な接続を有する。例えば、ＲＳは、物理的にＢＳとＡＴとの間に位置しうる。
【００５９】
９０４では、ＢＳが、ＲＳに対して、データ（例えば、コンテンツ）のセットを送信する。このデータは、最終的には、１または複数のＡＴへ送られる。例えば、ＢＳは、前述したように、ＲＳによってサービス提供されている複数のＡＴへ送られるコンテンツを、ＲＳに対して送信しうる。９０６では、データを下流側に転送するために使用されるラジオ・リソースを、ＲＳが決定するのか、ＢＳが決定するのかが判定される。下流側へのホップのためのラジオ・リソースがどのようにスケジュールされるのかを、ＢＳが決定する場合、（前述したように）ラジオ・リソースが集中管理される。下流側へのホップのためのリソースをＲＳがスケジュールする場合、ラジオ・リソースは分散管理される。
【００６０】
９０８では、データを下流側に転送するために使用されるラジオ・リソースをＲＳが決定している場合、ＢＳに送られ、データ受信を確認するアクノレッジメント・メッセージ（ＡＣＫ）は、ＲＳがＡＴへデータをいつ送信するか、必要とされるスロット数、および／または、ＢＳからＲＳへのリンクがＲＳからＡＴへのリンクよりも遅いのであれば遅延、に関する情報を含みうる。あらゆるレイテンシを考慮するために、ＢＳは、ＲＳがＡＴへデータを転送する前に、ＡＣＫを復号するためのバッファ時間を必要としうる。
【００６１】
９１０では、データを下流側に転送するために使用されるラジオ・リソースをＢＳが決定している場合（例えば、集中管理されている場合）、ＢＳに送られ、データ受信を確認するアクノレッジメント・メッセージ（ＡＣＫ）は、リソース要求を含みうる。この要求は、必要とされるスロット数と、および／または、ＢＳからＲＳへのリンクが、ＲＳからＡＴへのリンクよりも遅い場合には遅延を含む。９１２では、ＢＳは、データを下流側に送信するために、ＲＳへラジオ・リソースを割り当てる。９１４では、ＲＳは、割り当てられたスロットで、データを下流側へ送信する。例えば、ＲＳは、ＢＳから取得されたデータを、１または複数のＡＴへ、（例えば、分散管理によって）ＢＳによって割り当てられたスロットで、あるいは、（例えば、集中管理によって）ＲＳによってＢＳへ示されたスロットで転送しうる。
【００６２】
前述した典型的なシステムおよび方法を考慮すると、開示された主題にしたがって実施される本発明の１または複数の実施形態は、図１０乃至図１３のタイムライン図を参照してより良く理解されるだろう。説明を単純にするために、タイムライン図は、一連のスロットとして図示および説明されているが、権利主張する主題は、これらスロットの順序および／または数によって限定されないことが理解および認識されるべきである。さらに、例示されたスロットは、必ずしも本技術の可能な全ての実施を表すものではなく、示されている例は、本技術の範囲および精神内の構成を網羅するものでも、最適化されることも意図されていない。
【００６３】
図１０は、本発明の態様にしたがう無線ネットワークにおいて複数のホップによって静的に割り当てられたラジオ・リソースを例示するダウンリンク・タイムラインの例である。このタイムライン１０００は、１６の個別のフレーム１００２（例えば０−１５）を含んでいる。前述したように、静的な集中実施では、基地局は、１または複数の中継局（ＲＳ）がデータを送信および／または受信するために使用しうるサブ・フレームを割り当てうる。例えば、偶数のサブ・フレームのセットが、ＢＳとＲＳとの通信（例えば、第１のホップ）１００４に割り当てられる一方、奇数のサブ・フレームのセットが、ＢＳとＡＴとの通信（例えば、第２のホップ）１００６に割り当てられる。
【００６４】
動作中、ＢＳは、サブ・フレーム０で始まるデータを、１または複数のＲＳへ送信する。ＲＳは、データが受信された場合には、サブ・フレーム４でアクノレッジメント（ＡＣＫ）メッセージを送信し、データが正しく受信されなかった場合には、否定的なアクノレッジメント（ＮＡＣＫ）メッセージを送信する。ＢＳがＮＡＣＫを受信すると、次のインタレース（例えば、サブ・フレーム８）で始まるデータが、ＲＳへ再送信される。ＲＳがデータを正しく受信すると、ＲＳは、利用可能な次のスロット（例えば、スロット９）で、１または複数のアクセス端末（ＡＴ）へデータを下流側へと送信する。前述したように、対応する制御サブ・フレーム（例えば、サブ・フレーム１３）もまたＲＳへ割り当てられ、ＲＳは、ＡＴからＡＣＫを受信できるようになる。
【００６５】
さらに、あるいは、その代わりに、本例では、ＢＳとＲＳとの間、あるいは、ＲＳとＡＴとの間のリンクにおけるスループットが均等に調和していない場合、ＢＳは、（例えば）３：１から１：３へのスプリットを使用しうる。
【００６６】
図１１は、本技術の態様にしたがう無線ネットワークにおいて複数のホップによって静的に割り当てられたラジオ・リソースを例示するアップリンク・タイムラインである。タイムライン１１００は、２４の個別のフレーム１１０２（例えば、０−２３）を含んでいる。前述したように、静的な集中実施では、基地局（ＢＳ）は、１または複数の中継局（ＲＳ）がデータを送信および／または受信するサブ・フレームを割り当てうる。例えば、偶数のサブ・フレームのセットが、ＢＳとＲＳとの通信（例えば、第１のホップ）１１０４に割り当てられる一方、奇数のサブ・フレームのセットが、ＲＳとＡＴとの通信（例えば、第２のホップ）１１０６に割り当てられる。
【００６７】
動作において、この例は、スロット１においてＵＬでデータを送信するために、ＡＴによる以前の要求をＲＳが許可するシナリオを例示している。この要求許可は、スロット１でＲＳによって送信される。なぜなら、奇数のサブ・フレームのセットが、ＲＳとＡＴとの通信に割り当てられるからである。ＡＴは、次に利用可能なサブ・フレーム（例えば、サブ・フレーム５）においてデータの送信を開始しうる。サブ・フレーム９では、ＲＳは、データが正しく受信された場合には、ＡＣＫを送信し、データが正しく受信されなかった場合には、ＮＡＫを送信する。データが正しく受信されなかった場合には、ＡＴは、ＮＡＫを受信した後、割り当てられた最初に利用可能なサブ・フレーム（例えば、サブ・フレーム１３）でデータを送信する。データが正しく受信されると、ＲＳは、サブ・フレーム１２（例えば、偶数のサブ・フレーム）において、ラジオ・リソースを使用する要求をＢＳへ送信しうる。ＢＳは、ＲＳのこの要求に対する許可を、サブ・フレーム１６で送信し、ＲＳは、サブ・フレーム２０で、データの送信を開始しうる。前述の例は、説明の単純化および明確化のために例示されており、本技術の範囲および精神内の構成を網羅するものでも、最適化されることも意図されていないことが認識されるべきである。
【００６８】
図１２は、現在の発明の態様にしたがう無線ネットワークにおける複数のホップによるラジオ・リソースの動的な集中割当を例示するダウンリンク・タイムラインの例である。このタイムライン１２００は、１６の個別のフレーム１２０２（例えば、０−１５）を含んでいる。この例において、ＢＳは、サブ・フレーム０でＲＳにデータを送信する。ＲＳは、サブ・フレーム４でＡＣＫを送信する。ここで、ＡＣＫは、順方向リンク（ＦＬ）リソース要求を含む。このＦＬ要求は、必要とされるフレーム数を指定することができ、例えば、ＢＳとＲＳとのリンクが、ＲＳとＡＴとのリンクよりも遅い場合、遅延を示すことができる。
【００６９】
サブ・フレーム８において、ＢＳは、データを下流側へ（例えば、ＡＴへ）送信するために、ＲＳによって使用されうる要求された（例えば、集中管理された）ＤＬリソースのすべてまたは一部を割り当てる。そして、ＲＳは、次に利用可能なサブ・フレーム（例えば、スロット１０）において、データを下流側に送信する。ＢＳによって割り当てられたＤＬリソースは、限定される訳ではないが、チャネル品質インジケータ（ＣＱＩ）、信号対雑音比（ＳＮＲ）、信号対干渉および雑音比（ＳＩＮＲ）、データ量、利用可能な帯域幅等を含む複数の要因に基づきうる。サブ・フレーム１２では、データが正しく受信および復号されると、ＡＴはＲＳへＡＣＫを送信しうる。
【００７０】
図１３は、本発明の態様にしたがって無線ネットワークにおいて複数のホップによって動的になされたラジオ・リソースの割当を例示するダウンリンク・タイムラインの例である。このタイムライン１３００は、１６の個別のタイムスロット１３０２（例えば、０−１５）を含んでいる。この例では、ＢＳは、サブ・フレーム０で、ＲＳがデータを１または複数のＡＴへ転送するときを示す順方向リンク割当（ＦＬＡ）とともに、データを、１または複数のＲＳへ送信する。このＦＬＡは、必要とされるフレーム数を指定し、例えば、ＢＳとＲＳとのリンクが、ＲＳとＡＴとのリンクよりも遅い場合には、遅延を示しうる。ＲＳはサブ・フレーム４でＡＣＫを送信し、サブ・フレーム８において、ＡＴへの下流側へのデータ送信を開始する。ＢＳは、ＡＣＫを復号するための時間（例えば、レイテンシ）を必要するので、ＢＳは、ＲＳがいつ送信しているかを認識する。
【００７１】
前述したように、ＢＳによって割り当てられたＤＬリソースは、限定される訳ではないが、チャネル品質インジケータ（ＣＱＩ）、信号対雑音比（ＳＮＲ）、信号対干渉および雑音比（ＳＩＮＲ）、データ量、利用可能な帯域幅等を含む複数の要因に基づきうる。サブ・フレーム１４では、データが正しく受信および復号された場合、ＡＴはＲＳにＡＣＫを送ることができる。
【００７２】
図１４に移って、本技術の態様にしたがって、無線ネットワークにおいて、複数のホップによって動的に割り当てられたラジオ・リソースを例示する２つのアップリンク・タイムラインの比較例を示す。例示１４００は、第１のタイムライン１４０２および第２のタイムライン１４０４を含んでいる。第１のタイムライン１４０２は、ＢＳによって集中化されたＵＬラジオ・リソースの動的な割当を例示する。サブ・フレーム−４では、ＡＴが、リソースを求める要求をＲＳへ送信する。ＲＳは、この要求を、サブ・フレーム−２においてＢＳへ転送し、ＢＳは、サブ・フレーム０において、リソースの割当をＲＳへ送信する。ＲＳは、サブ・フレーム２において、逆方向リンク割当（ＲＬＡ）をＡＴへ転送する。
【００７３】
さらに、あるいは、その代わりに、ラジオ・リソースは、第２のタイムライン１４０４に例示するように、動的になされたリソース割当が、ＲＳによってなされうる。サブ・フレーム−４では、ＡＴが、リソースを求める要求をＲＳへ送信する。ＲＳは、サブ・フレーム−２において、このＲＬ要求をＢＳへ送信し、ＲＳがＡＴからいつデータを受信するかを示す。ＢＳは、レイテンシに対処し、かつ、ＲＬ要求を復号するための時間の長さＸを必要とし、ＲＳがデータを受信しているときを特定する。このＲＬ要求はさらに、必要なフレーム数を含みうる。さらに、あるいは、その代わりに、もしもリンクが不調和の場合、さらに遅延を含みうる。
【００７４】
図１５は、本技術にしたがって１または複数の機能を自動化することを容易にする人工知能（ＡＩ）構成要素１５０２を適用するシステム１５００を例示する。（例えば、推論に関連する）主題とする発明は、さまざまな態様を実行するために、さまざまなＡＩベースのスキームを適用しうる。例えば、ラジオ・リソースを動的に割り当てるための処理が、自動的な分類システムおよび処理によって容易とされうる。
【００７５】
分類とは、入力属性ベクトルｘ＝（ｘ１、ｘ２、ｘ３、ｘ７、ｘｎ）を、その入力がクラス（class）に属する信頼度（confidence）にマップする、すなわち、ｆ（ｘ）＝ｃｏｎｆｉｄｅｎｃｅ（ｃｌａｓｓ）とする機能である。そのような分類は、自動的に実行されることをユーザが希望する動作を予測または推論するために、（例えば、分析ユーティリティおよびコストを要因に含めた）確率論および／または統計学に基づく分析を適用しうる。
【００７６】
サポート・ベクトル・マシン（ＳＶＭ）は、適用されうる分類器の一例である。ＳＶＭは、可能な入力スペースにおける超曲面（hypersurface）を見つけることによって動作する。超曲面は、トリガされていないイベントから、トリガ・イベントを分けることを試みる。これは、直観的に、近くにあるが学習データと同一ではないデータをテストする分類を正しくする。その他の直接的および間接的なモデル分類アプローチは、例えば、純粋なＢａｙｅｓネットワーク、Ｂａｙｅｓｉａｎネットワーク、判断ツリー、ニューラル・ネットワーク、ファジー論理モデル、および確率論的分類モデルを含んでおり、独立した別のパターンが適用される。さらに本明細書で使用される分類はまた、優先度モデルを開発するために利用される統計的な回帰をも含む。
【００７７】
本明細書から容易に認識されるように、本発明は、（例えば、一般的な学習データによって）明示的に学習されるのみならず、（例えば、ユーザ挙動を観察することや、付帯情報を受信することによって）暗黙的に学習された分類器を適用しうる。例えば、ＳＶＭは、分類器製造者および機能選択モジュールにおける学習フェーズによって設定される。したがって、分類器は、限定される訳ではないが、予め定めた基準にしたがって、以前に推論されたスキーマをいつ更新または改良するか、（例えば、金融対非金融、個人対非個人のように）処理されているデータの種類に基づいて推論アルゴリズムに関する基準をいつ厳しくするか、および、厳しい基準管理を何日の何時（例えば、システム・パフォーマンスがあまりインパクトを受けない場合には、夕方）に実行するか、を判定することを含む多くの機能を自動的に学習し実行するために使用されうる。
【００７８】
図１６を参照して、無線通信ネットワークにおいて、複数のホップによってスケジューリングを容易にするシステム１６００が例示される。例えば、システム１６００は、基地局、モバイル・デバイス等の中に少なくとも部分的に存在しうる。システム１６００は、プロセッサ、ソフトウェア、またはそれらの組み合わせ（例えば、ファームウェア）によって実現される機能を表す機能ブロックでありうる機能ブロックを含むものとして示されることが認識されるべきである。システム１６００は、連携して動作しうる電子構成要素の論理グループ１６０２を含む。例えば、論理グループ１６０２は、１または複数のノードによって使用されるラジオ・リソースのセットを提供するための電子構成要素１６０４を含みうる。さらに、論理グループ１６０２は、ラジオ・リソースのセットを、フレームのセットへ分配するための電子構成要素１６０６を備えうる。さらに、論理グループ１６０２は、おのおののホップへフレームを静的または動的のうちの何れかによって割り当てるための電子構成要素１６０８を含みうる。ここで、隣接するホップには、直交リソースが割り当てられる。フレームが静的に割り当てられる場合、隣接するホップには直交リソースが割り当てられる。そして、フレームの動的な割当は、トラフィック条件またはチャネル条件に少なくとも部分的に基づいている。さらに、システム１６００は、電子構成要素１６０４、１６０６、１６０８に関連付けられた機能を実行するための命令群を保持するメモリ１６１０を含みうる。メモリ１６１０の外に示されているが、電子構成要素１６０４、１６０６、１６０８のうちの１または複数は、メモリ１６１０内に存在しうることが理解されるべきである。
【００７９】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００８０】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００８１】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００８２】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014090478.tif 000003
【図２】
2014090478.tif 000004
【図３】
2014090478.tif 000005
【図４】
2014090478.tif 000006
【図５】
2014090478.tif 000007
【図６】
2014090478.tif 000008
【図７】
2014090478.tif 000009
【図８】
2014090478.tif 000010
【図９】
2014090478.tif 000011
【図１０】
2014090478.tif 000012
【図１１】
2014090478.tif 000013
【図１２】
2014090478.tif 000014
【図１３】
2014090478.tif 000015
【図１４】
2014090478.tif 000016
【図１５】
2014090478.tif 000017
【図１６】
2014090478.tif 000018
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
無線通信ネットワークにおいて複数のホップによってスケジュールする方法であって、
装置が、１または複数のノードによる使用のために、ラジオ・リソースのセットを提供することと、
前記装置が、サービス提供している基地局からの複数のフレームを、中継局において前記フレームを使用する前に要求することと、ここで、前記要求は、アクノレッジメントに含まれる、
前記装置が、ダウンリンク通信およびアップリンク通信における使用のために、前記ラジオ・リソースをペア方式で割り当てることと
を備え、前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む、方法。
【請求項２】
前記リソースを割り当てるために、分散型のスケジューリング・スキームを適用することを更に備え、
基地局は、中継局に関連付けられたアクセス端末のセットをスケジュールするために前記中継局が使用可能なリソースを決定し、前記中継局は、前記リソースを用いて前記アクセス端末を自主的にスケジュールする請求項１に記載の方法。
【請求項３】
前記リソースを割り当てるために、集中型のスケジューリング・スキームを適用することをさらに備え、
基地局は、中継局に関連付けられたアクセス端末のセットのためのリソースのスケジュールを決定する請求項１に記載の方法。
【請求項４】
おのおののホップにリソースを静的に割り当てることをさらに備え、
隣接するホップは直交リソースを割り当てられる請求項１に記載の方法。
【請求項５】
おのおののホップにおける負荷、または、スループットの不均衡のうちの少なくとも１つに基づいて、前記リソースを時間にわたって再割当することをさらに備える請求項４に記載の方法。
【請求項６】
トラフィック条件またはチャネル条件のうちの少なくとも１つに少なくとも部分的に基づいて、おのおののホップへリソースを動的に割り当てることをさらに備える請求項１に記載の方法。
【請求項７】
前記スケジュールすることは、前記中継局において動的である請求項６に記載の方法。
【請求項８】
前記アクノレッジメントは、下流側のアクセス端末へ向けられた前記基地局から取得されたパケットに応じて、中継局によって送られる請求項７に記載の方法。
【請求項９】
前記要求は、必要なフレーム数またはレイテンシ期間のうちの少なくとも１つを含む請求項８に記載の方法。
【請求項１０】
前記中継局は、前記要求のアクノレッジメントが取得されるまで、前記リソースを使うことができない請求項９に記載の方法。
【請求項１１】
無線通信ネットワークにおいて複数のホップによってスケジュールするように構成された少なくとも１つのプロセッサであって、
１または複数のノードによる使用のために、ラジオ・リソースのセットを提供する第１のモジュールと、
サービス提供している基地局からの複数のサブ・フレームを、中継局において前記サブ・フレームを使用する前に要求する第２のモジュールと、ここで、前記要求は、アクノレッジメントに含まれる、
ダウンリンク通信およびアップリンク通信における使用のために、前記ラジオ・リソースをペア方式で割り当てる第３のモジュールと
を備え、前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む、プロセッサ。
【請求項１２】
コンピュータに対して、１または複数のノードによる使用のために、ラジオ・リソースのセットを提供させるための第１のコード・セットと、
前記コンピュータに対して、サービス提供している基地局からの複数のサブ・フレームを、中継局において前記サブ・フレームを使用する前に要求させるための第２のコード・セットと、ここで、前記要求は、アクノレッジメントに含まれる、
ダウンリンク通信およびアップリンク通信における使用のために、前記ラジオ・リソースをペア方式で割り当てるための第３のコード・セットと
を記録し、前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む、コンピュータ読取可能な記録媒体。
【請求項１３】
装置であって、
１または複数のノードによる使用のために、ラジオ・リソースのセットを提供する手段と、
サービス提供している基地局からの複数のサブ・フレームを、中継局において前記サブ・フレームを使用する前に要求する手段と、ここで、前記要求は、アクノレッジメントに含まれる、
ダウンリンク通信およびアップリンク通信における使用のために、前記ラジオ・リソースをペア方式で割り当てる手段と
を備え、前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む、装置。
【請求項１４】
前記ラジオ・リソースのスケジュールを分散させる手段をさらに備え、
基地局は、中継局に関連付けられたアクセス端末のセットをスケジュールするために前記中継局が使用可能なリソースを決定し、前記中継局は、前記リソースを用いて前記アクセス端末を自主的にスケジュールする請求項１３に記載の装置。
【請求項１５】
前記ラジオ・リソースのスケジュールを集中させる手段をさらに備え、
基地局は、中継局に関連付けられたアクセス端末のセットのためのリソースのスケジュールを決定する請求項１３に記載の装置。
【請求項１６】
おのおののホップに前記リソースを静的に割り当てる手段をさらに備え、
隣接するホップは直交リソースを割り当てられる請求項１３に記載の装置。
【請求項１７】
おのおののホップにおける負荷、または、スループットの不均衡のうちの少なくとも１つに基づいて、前記リソースを時間にわたって再割当する手段をさらに備える請求項１３に記載の装置。
【請求項１８】
トラフィック条件またはチャネル条件のうちの少なくとも１つに少なくとも部分的に基づいて、おのおののホップへフレームを動的に割り当てる手段をさらに備える請求項１３に記載の装置。
【請求項１９】
スケジュールすることは、前記中継局において動的である請求項１８に記載の装置。
【請求項２０】
前記アクノレッジメントは、下流側のアクセス端末へ向けられた前記基地局から取得されたパケットに応じて、前記中継局によって送られる請求項１９に記載の装置。
【請求項２１】
必要なサブ・フレーム数またはレイテンシ期間のうちの少なくとも１つを前記要求に含める手段をさらに備える請求項１９に記載の装置。
【請求項２２】
前記中継局は、前記要求のアクノレッジメントが取得されるまで、前記リソースを使うことができない請求項１９に記載の装置。
【請求項２３】
装置であって、
１または複数のノードによる使用のために、ラジオ・リソースのセットを提供するラジオ構成要素と、
複数のサブ・フレームを求める要求を中継局から受信し、ダウンリンク通信およびアップリンク通信における使用のために、前記ラジオ・リソースをペア方式で割り当てるスケジューリング構成要素と、ここで、前記要求は、アクノレッジメントに含まれる、
を備え、前記ペア方式でリソースを割り当てることは、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む、装置。
【請求項２４】
前記スケジューリング構成要素は、前記ラジオ・リソースを割り当てるために、分散型のスケジューリング・スキームを適用し、
基地局は、中継局に関連付けられたアクセス端末のセットをスケジュールするために前記中継局が使用可能なリソースを決定し、
前記中継局は、前記リソースを用いて前記アクセス端末を自主的にスケジュールする請求項２３に記載の装置。
【請求項２５】
前記スケジューリング構成要素は、前記ラジオ・リソースを割り当てるために、集中型のスケジューリング・スキームを適用し、基地局は、中継局に関連付けられたアクセス端末のセットのためのリソースのスケジュールを決定する請求項２３に記載の装置。
【請求項２６】
前記スケジューリング構成要素は、おのおののホップに前記リソースを静的に割り当て、隣接するホップは直交リソースを割り当てられる請求項２３に記載の装置。
【請求項２７】
前記スケジューリング構成要素は、おのおののホップにおける負荷、または、スループットの不均衡のうちの少なくとも１つに基づいて、前記リソースを時間にわたって再割当する請求項２３に記載の装置。
【請求項２８】
前記スケジューリング構成要素は、トラフィック条件またはチャネル条件のうちの少なくとも１つに少なくとも部分的に基づいて、おのおののホップへリソースを動的に割り当てる請求項２３に記載の装置。
【請求項２９】
前記スケジュールすることは、前記中継局において動的である請求項２８に記載の装置。
【請求項３０】
前記アクノレッジメントは、下流側のアクセス端末へ向けられた取得されたパケットに応じて、前記中継局によって送られる請求項２９に記載の装置。
【請求項３１】
前記要求は、サブ・フレーム数またはレイテンシ期間のうちの少なくとも１つを含む請求項２９に記載の装置。
【請求項３２】
前記中継局は、前記要求のアクノレッジメントが取得されるまで、前記リソースを使うことができない請求項２９に記載の装置。
【請求項３３】
前記スケジューリング構成要素は、アクセス端末が基地局を直接的に傍受し、中継局が制御情報を送信しない透過的なスケジューリング、または、前記中継局が制御情報を送信する明示的なスケジューリングのうちの少なくとも１つを適用する請求項２３に記載の装置。
【請求項３４】
前記ラジオ構成要素および前記スケジューリング構成要素のうちの少なくとも何れかに人工知能を適用した、請求項２３に記載の装置。
【手続補正２】
【補正対象書類名】明細書
【補正対象項目名】００８１
【補正方法】変更
【補正の内容】
【００８１】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体を含む。これは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【手続補正３】
【補正対象書類名】明細書
【補正対象項目名】００８２
【補正方法】変更
【補正の内容】
【００８２】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
なお、以下に、出願当初の特許請求の範囲に記載された発明を付記する。
［Ｃ１］無線通信ネットワークにおいて複数のホップによってスケジュールする方法であって、
１または複数のノードによる使用のために、ラジオ・リソースのセットを提供することと、
ダウンリンク通信およびアップリンク通信における使用のために、前記ラジオ・リソースをペア方式で割り当てることと
を備える方法。
［Ｃ２］前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含むＣ１に記載の方法。
［Ｃ３］前記リソースを割り当てるために、分散型のスケジューリング・スキームを適用することを更に備え、
基地局は、中継局に関連付けられたアクセス端末のセットをスケジュールするために前記中継局が使用するリソースを決定し、前記中継局は、前記リソースを用いて前記アクセス端末を自主的にスケジュールするＣ１に記載の方法。
［Ｃ４］前記リソースを割り当てるために、集中型のスケジューリング・スキームを適用することをさらに備え、
基地局は、中継局に関連付けられたアクセス端末のセットのためのリソースのスケジュールを決定するＣ１に記載の方法。
［Ｃ５］おのおののホップにリソースを静的に割り当てることをさらに備え、
隣接するホップに直交リソースが割り当てられるＣ１に記載の方法。
［Ｃ６］おのおののホップにおける負荷、または、スループットの不均衡のうちの少なくとも１つに基づいて、前記リソースを時間にわたって再割当することをさらに備えるＣ５に記載の方法。
［Ｃ７］制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換えることをさらに備えるＣ４に記載の方法。
［Ｃ８］前記静的な割当の周波数変更、または、より柔軟性の高い割当が望まれているか、のうちの少なくとも１つに少なくとも部分的に基づいて前記静的な割当を切り換えることをさらに備えるＣ５に記載の方法。
［Ｃ９］トラフィック条件またはチャネル条件のうちの少なくとも１つに少なくとも部分的に基づいて、おのおののホップへリソースを動的に割り当てることをさらに備えるＣ１に記載の方法。
［Ｃ１０］サービス提供している基地局からのフレームを、中継局において前記フレームを使用する前に要求することをさらに備え、
スケジュールすることは、前記中継局において動的であるＣ９に記載の方法。
［Ｃ１１］前記要求をアクノレッジメントに含めることをさらに備え、
前記アクノレッジメントは、前記基地局から取得されたパケットに応じて、中継局によって下流側のアクセス端末へ向けて送られるＣ１０に記載の方法。
［Ｃ１２］前記要求は、必要なフレーム数またはレイテンシ期間のうちの少なくとも１つを含むＣ１１に記載の方法。
［Ｃ１３］前記中継局は、前記要求のアクノレッジメントが取得されるまで、前記リソースを使うことができないＣ１２に記載の方法。
［Ｃ１４］無線通信ネットワークにおいて複数のホップによってスケジュールするように構成された少なくとも１つのプロセッサであって、
１または複数のノードによる使用のために、ラジオ・リソースのセットを提供する第１のモジュールと、
ダウンリンク通信およびアップリンク通信における使用のために、前記ラジオ・リソースをペア方式で割り当てる第２のモジュールとを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含むプロセッサ。
［Ｃ１５］コンピュータ読取可能媒体を備えるコンピュータ・プログラム製品であって、
前記コンピュータ読取可能媒体は、
コンピュータに対して、１または複数のノードによる使用のために、ラジオ・リソースのセットを提供させるための第１のコード・セットと、
ダウンリンク通信およびアップリンク通信における使用のために、前記ラジオ・リソースをペア方式で割り当てるための第２のコード・セットとを備え
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含むコンピュータ・プログラム製品。
［Ｃ１６］装置であって、
１または複数のノードによる使用のために、ラジオ・リソースのセットを提供する手段と、
ダウンリンク通信およびアップリンク通信における使用のために、前記ラジオ・リソースをペア方式で割り当てる手段とを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む装置。
［Ｃ１７］前記ラジオ・リソースのスケジュールを分散させる手段をさらに備え、
基地局は、中継局に関連付けられたアクセス端末のセットをスケジュールするために前記中継局が使用するリソースを決定し、前記中継局は、前記リソースを用いて前記アクセス端末を自主的にスケジュールするＣ１６に記載の装置。
［Ｃ１８］前記ラジオ・リソースのスケジュールを集中させる手段をさらに備え、
基地局は、中継局に関連付けられたアクセス端末のセットのためのリソースのスケジュールを決定するＣ１６に記載の装置。
［Ｃ１９］おのおののホップにリソースを静的に割り当てる手段をさらに備え、
隣接するホップに直交リソースが割り当てられるＣ１６に記載の装置。
［Ｃ２０］おのおののホップにおける負荷、または、スループットの不均衡のうちの少なくとも１つに基づいて、前記リソースを時間にわたって再割当する手段をさらに備えるＣ１６に記載の装置。
［Ｃ２１］制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換える手段をさらに備えるＣ１６に記載の装置。
［Ｃ２２］前記静的な割当の周波数変更、または、より柔軟性の高い割当が望まれているか、のうちの少なくとも１つに少なくとも部分的に基づいて前記静的な割当を切り換える手段をさらに備えるＣ１６に記載の装置。
［Ｃ２３］トラフィック条件またはチャネル条件のうちの少なくとも１つに少なくとも部分的に基づいて、おのおののホップへフレームを動的に割り当てる手段をさらに備えるＣ１６に記載の装置。
［Ｃ２４］サービス提供している基地局からのサブ・フレームを、中継局において前記フレームを使用する前に要求することをさらに備え、
スケジュールすることは、前記中継局において動的であるＣ２３に記載の装置。
［Ｃ２５］前記要求をアクノレッジメントに含める手段をさらに備え、
前記アクノレッジメントは、前記基地局から取得されたパケットに応じて、中継局によって下流側のアクセス端末へ向けて送られるＣ２４に記載の装置。
［Ｃ２６］必要なサブ・フレーム数またはレイテンシ期間のうちの少なくとも１つを前記要求に含める手段をさらに備えるＣ２４に記載の装置。
［Ｃ２７］前記中継局は、前記要求のアクノレッジメントが取得されるまで、前記リソースを使うことができないＣ２４に記載の装置。
［Ｃ２８］装置であって、
１または複数のノードによる使用のために、ラジオ・リソースのセットを提供するラジオ構成要素と、
ダウンリンク通信およびアップリンク通信における使用のために、前記ラジオ・リソースをペア方式で割り当てるスケジューリング構成要素とを備え、
前記ペア方式でリソースを割り当てることはさらに、
ホップに割り当てられたダウンリンク・サブ・フレームのおのおののセットのために、対応するアップリンク制御サブ・フレームを割り当てることと、
ホップに割り当てられた逆方向リンク・サブ・フレームのおのおののセットのために、対応するダウンリンク制御サブ・フレームを割り当てることと
を含む装置。
［Ｃ２９］前記スケジューリング構成要素は、前記ラジオ・リソースを割り当てるために、分散型のスケジューリング・スキームを適用し、
基地局は、中継局に関連付けられたアクセス端末のセットをスケジュールするために前記中継局が使用するリソースを決定し、
前記中継局は、前記リソースを用いて前記アクセス端末を自主的にスケジュールするＣ２８に記載の装置。
［Ｃ３０］前記スケジューリング構成要素は、前記ラジオ・リソースを割り当てるために、集中型のスケジューリング・スキームを適用し、基地局は、中継局に関連付けられたアクセス端末のセットのためのリソースのスケジュールを決定するＣ２８に記載の装置。
［Ｃ３１］前記スケジューリング構成要素は、おのおののホップにリソースを静的に割り当て、隣接するホップに直交リソースが割り当てられるＣ２８に記載の装置。
［Ｃ３２］前記スケジューリング構成要素は、おのおののホップにおける負荷、または、スループットの不均衡のうちの少なくとも１つに基づいて、前記リソースを時間にわたって再割当するＣ２８に記載の装置。
［Ｃ３３］前記スケジューリング構成要素は、制御シグナリングのみのためにサブ・フレームのセットを用いること、制御信号を送信しないか、受信しないかのうちの少なくとも１つを行うこと、あるいは、少なくとも１つの制御信号の送信を遅らせること、のうちの少なくとも１つによって、前記ラジオ・リソースの静的な割当を切り換えるＣ３２に記載の装置。
［Ｃ３４］前記スケジューリング構成要素は、前記静的な割当の周波数変更、または、より柔軟性の高い割当が望まれているか、のうちの少なくとも１つに少なくとも部分的に基づいて前記静的な割当を切り換えるＣ３３に記載の装置。
［Ｃ３５］前記スケジューリング構成要素は、トラフィック条件またはチャネル条件のうちの少なくとも１つに少なくとも部分的に基づいて、おのおののホップへリソースを動的に割り当てるＣ２８に記載の装置。
［Ｃ３６］前記スケジューリング構成要素は、サブ・フレームを求める要求を中継局から受信し、スケジュールすることは、前記中継局において動的であるＣ３５に記載の装置。
［Ｃ３７］前記要求は、アクノレッジメントを含み、前記アクノレッジメントは、取得されたパケットに応じて、中継局によって下流側のアクセス端末へ向けて送られるＣ３６に記載の装置。
［Ｃ３８］前記要求は、サブ・フレーム数またはレイテンシ期間のうちの少なくとも１つを含むＣ３６に記載の装置。
［Ｃ３９］前記中継局は、前記要求のアクノレッジメントが取得されるまで、前記リソースを使うことができないＣ３６に記載の装置。
［Ｃ４０］前記スケジューリング構成要素は、前記アクセス端末が前記基地局を直接的に傍受し、中継局が制御情報を送信しない透過的なスケジューリング、または、前記中継局が制御情報を送信する明示的なスケジューリングのうちの少なくとも１つを適用するＣ２８に記載の装置。
［Ｃ４１］前記装置の１または複数の態様を自動化することを容易にする人工知能構成要素をさらに備えるＣ２８に記載の装置。
【外国語明細書】
2014090478000001.pdf